(57)【要約】【課題】プラズマディスプレイ装置のデータ電極駆動回路の消費電力を削減する。【解決手段】データ電極駆動回路は、中間電圧に充電された回収コンデンサを備えると共に、高圧側スイッチと低圧側スイッチと回収スイッチとを有する出力バッファを備え、出力電圧を低圧側電圧から高圧側電圧に遷移させる出力バッファは、書込み周期のそれぞれに設けられた第１遷移期間に回収スイッチをオンにして低圧側電圧から中間電圧に遷移させた後に回収スイッチをオフにし高圧側スイッチをオンにして中間電圧から高圧側電圧に出力電圧を遷移させ、出力電圧を高圧側電圧から低圧側電圧に遷移させる出力バッファは、書込み周期のそれぞれに設けられかつ第１遷移期間と時間的に重ならない第２遷移期間に回収スイッチをオンにして高圧側電圧から中間電圧に遷移させた後に回収スイッチをオフにし前圧側スイッチをオンにして中間電圧から低圧側電圧に出力電圧を遷移させる。【選択図】図７
2012118174.tif 000002
【特許請求の範囲】
【請求項１】
複数の表示電極対と複数のデータ電極とを有するプラズマディスプレイパネルと、前記データ電極に書込みパルスを印加するデータ電極駆動回路とを備え、前記データ電極駆動回路は書込み周期毎に前記書込みパルスの高圧側電圧または前記書込みパルスの低圧側電圧を前記データ電極のそれぞれに印加するプラズマディスプレイ装置であって、
前記データ電極駆動回路は、前記高圧側電圧より低く前記低圧側電圧よりも高い中間電圧に充電された回収コンデンサを備えると共に、前記高圧側電圧を出力する高圧側スイッチと前記低圧側電圧を出力する低圧側スイッチと前記回収コンデンサに接続する回収スイッチとを有する出力バッファを前記データ電極のそれぞれに対して備え、
出力電圧を前記低圧側電圧から前記高圧側電圧に遷移させる出力バッファは、前記書込み周期のそれぞれに設けられた第１遷移期間に前記回収スイッチをオンにして前記低圧側電圧から前記中間電圧に遷移させた後に前記回収スイッチをオフにし前記高圧側スイッチをオンにして前記中間電圧から前記高圧側電圧に出力電圧を遷移させ、
出力電圧を前記高圧側電圧から前記低圧側電圧に遷移させる出力バッファは、前記書込み周期のそれぞれに設けられかつ前記第１遷移期間と時間的に重ならない第２遷移期間に前記回収スイッチをオンにして前記高圧側電圧から前記中間電圧に遷移させた後に前記回収スイッチをオフにし前記低圧側スイッチをオンにして前記中間電圧から前記低圧側電圧に出力電圧を遷移させることを特徴とするプラズマディスプレイ装置。
【請求項２】
前記第１遷移期間および前記第２遷移期間の少なくとも一方の開始時刻は前記出力バッファのそれぞれに対して設定され、
隣接する片側のデータ電極の電圧のみが遷移するデータ電極に対する出力バッファの前記開始時刻は、隣接する両側のデータ電極の電圧が共に遷移するデータ電極に対する出力バッファの前記開始時刻よりも早く設定され、
隣接する両側のデータ電極の電圧が共に遷移しないデータ電極に対する出力バッファの前記開始時刻は、隣接する片側のデータ電極の電圧のみが遷移するデータ電極に対する出力バッファの前記開始時刻よりも早く設定されることを特徴とする請求項１に記載のプラズマディスプレイ装置。
【請求項３】
前記データ電極駆動回路は、前記出力バッファを複数集積した集積回路を複数個用いて構成され、
前記第１遷移期間および前記第２遷移期間の少なくとも一方の開始時刻は前記集積回路のそれぞれに対して設定され、
隣接する少なくとも片側のデータ電極の電圧が遷移しないデータ電極に対する出力バッファが存在する集積回路の前記開始時刻は、隣接する少なくとも片側のデータ電極の電圧が遷移しないデータ電極に対する出力バッファが存在しない集積回路の前記開始時刻よりも早く設定され、
隣接する両側のデータ電極の電圧が共に遷移しないデータ電極に対する出力バッファが存在する集積回路の前記開始時刻は、隣接する両側のデータ電極の電圧が共に遷移しないデータ電極に対する出力バッファが存在しない集積回路の前記開始時刻よりも早く設定されることを特徴とする請求項１に記載のプラズマディスプレイ装置。
【発明の詳細な説明】
【技術分野】
【０００１】
本発明は、交流面放電型のプラズマディスプレイパネルを用いた画像表示装置であるプラズマディスプレイ装置に関する。
【背景技術】
【０００２】
プラズマディスプレイパネル（以下、「パネル」と略記する）は、行方向に長い走査電極および維持電極からなる表示電極対を複数形成した前面基板と、列方向に長いデータ電極を複数形成した背面基板とを対向配置し、表示電極対とデータ電極とが立体的に交差する位置のそれぞれに放電セルが形成されている。そしてプラズマディスプレイ装置は、走査電極駆動回路、維持電極駆動回路、データ電極駆動回路を備え、それぞれの電極に必要な駆動電圧波形を印加して画像を表示する。
【０００３】
パネルを駆動する方法としては、サブフィールド法、すなわち１フィールド期間を複数のサブフィールドに分割し、発光させるサブフィールドの組み合わせによって階調表示を行う。各サブフィールドは、初期化期間、書込み期間および維持期間を有する。初期化期間では初期化放電を発生し、続く書込み動作に必要な壁電荷を形成する初期化動作を行う。書込み期間では、表示する画像に応じてデータ電極のそれぞれに書込みパルスを印加して放電セルで選択的に書込み放電を発生し壁電荷を形成する。そして維持期間では、輝度重みに応じた維持パルスを走査電極と維持電極とに交互に印加して維持放電を発生させ、対応する放電セルの蛍光体層を発光させることにより画像表示を行う。
【０００４】
近年、パネルの大画面化、高精細度化が進むにつれて、書込み動作のための電力が無視できないほど大きくなり、データ電極駆動回路の消費電力がプラズマディスプレイ装置全体の消費電力を大きく増大させてしまうという課題が発生してきた。
【０００５】
そのため、データ電極駆動回路の消費電力を削減する様々な方法が提案されてきた。例えば、駆動回路側から見たときデータ電極が容量性の負荷であることに注目し、負荷容量とインダクタとを共振させてデータ電極駆動回路に電力を供給する電源に電力回収部を付加したプラズマディスプレイ装置が開示されている（例えば、特許文献１参照）。しかしデータ電極の負荷容量は画像データ依存して大きく変化するため、表示する画像によってはむしろ消費電力が増大する場合があった。この点を改良するため、電源に付加した電力回収部の出力振幅を画像データに応じて変化させるように制御するプラズマディスプレイ装置も開示されている（例えば、特許文献２参照）。
【先行技術文献】
【特許文献】
【０００６】
【特許文献１】特開２００２−２７８５０９号公報
【特許文献２】特開２００４−２１２６９９号公報
【発明の概要】
【発明が解決しようとする課題】
【０００７】
このようにデータ電極駆動回路に電力を供給する電源に電力回収部を付加することで消費電力を削減することができる。しかし、電源に電力回収部を付加すると、データ電極駆動回路に供給する電圧が不安定となって書込み放電が不安定になり、画像表示品質が低下するという課題があった。
【０００８】
本発明はこのような課題に鑑みなされたものであり、一定の電圧を有する電源からデータ電極駆動回路に電力を供給して安定した書込み放電を行うとともに、データ電極駆動回路の消費電力を削減したプラズマディスプレイ装置を提供することを目的とする。
【課題を解決するための手段】
【０００９】
上記目的を達成するために本発明は、複数の表示電極対と複数のデータ電極とを有するプラズマディスプレイパネルと、データ電極に書込みパルスを印加するデータ電極駆動回路とを備え、データ電極駆動回路は書込み周期毎に書込みパルスの高圧側電圧または書込みパルスの低圧側電圧をデータ電極のそれぞれに印加するプラズマディスプレイ装置であって、データ電極駆動回路は、高圧側電圧より低く低圧側電圧よりも高い中間電圧に充電された回収コンデンサを備えると共に、高圧側電圧を出力する高圧側スイッチと低圧側電圧を出力する低圧側スイッチと回収コンデンサに接続する回収スイッチとを有する出力バッファをデータ電極のそれぞれに対して備え、出力電圧を低圧側電圧から高圧側電圧に遷移させる出力バッファは、書込み周期のそれぞれに設けられた第１遷移期間に回収スイッチをオンにして低圧側電圧から中間電圧に遷移させた後に回収スイッチをオフにし高圧側スイッチをオンにして中間電圧から高圧側電圧に出力電圧を遷移させ、出力電圧を高圧側電圧から低圧側電圧に遷移させる出力バッファは、書込み周期のそれぞれに設けられかつ第１遷移期間と時間的に重ならない第２遷移期間に回収スイッチをオンにして高圧側電圧から中間電圧に遷移させた後に回収スイッチをオフにし前圧側スイッチをオンにして中間電圧から低圧側電圧に出力電圧を遷移させることを特徴とする。この構成により、一定の電圧を有する電源からデータ電極駆動回路に電力を供給して安定した書込み放電を行うとともに、データ電極駆動回路の消費電力を削減したプラズマディスプレイ装置を提供することができる。
【００１０】
また本発明のプラズマディスプレイ装置の第１遷移期間および第２遷移期間の少なくとも一方の開始時刻は出力バッファのそれぞれに対して設定され、隣接する片側のデータ電極の電圧のみが遷移するデータ電極に対する出力バッファの開始時刻は隣接する両側のデータ電極の電圧が共に遷移するデータ電極に対する出力バッファの開始時刻よりも早く設定され、隣接する両側のデータ電極の電圧が共に遷移しないデータ電極に対する出力バッファの開始時刻は隣接する片側のデータ電極の電圧のみが遷移するデータ電極に対する出力バッファの開始時刻よりも早く設定されてもよい。
【００１１】
また本発明のプラズマディスプレイ装置のデータ電極駆動回路は出力バッファを複数集積した集積回路を複数個用いて構成され、第１遷移期間および第２遷移期間の少なくとも一方の開始時刻は集積回路のそれぞれに対して設定され、隣接する少なくとも片側のデータ電極の電圧が遷移しないデータ電極に対する出力バッファが存在する集積回路の開始時刻は、隣接する少なくとも片側のデータ電極の電圧が遷移しないデータ電極に対する出力バッファが存在しない集積回路の開始時刻よりも早く設定され、隣接する両側のデータ電極の電圧が共に遷移しないデータ電極に対する出力バッファが存在する集積回路の開始時刻は、隣接する両側のデータ電極の電圧が共に遷移しないデータ電極に対する出力バッファが存在しない集積回路の開始時刻よりも早く設定されてもよい。
【発明の効果】
【００１２】
本発明によれば、一定の電圧を有する電源からデータ電極駆動回路に電力を供給して安定した書込み放電を行うとともに、データ電極駆動回路の消費電力を削減したプラズマディスプレイ装置を提供することが可能となる。
【図面の簡単な説明】
【００１３】
【図１】本発明の実施の形態１におけるプラズマディスプレイ装置のパネルの分解斜視図である。
【図２】同プラズマディスプレイ装置のパネルの電極配列図である。
【図３】同プラズマディスプレイ装置のパネルの電極間容量を模式的に示した図である。
【図４】同プラズマディスプレイ装置のパネルの各電極に印加する駆動電圧波形を示す図である。
【図５】同プラズマディスプレイ装置の回路ブロック図である。
【図６】同プラズマディスプレイ装置のデータ電極駆動回路の出力バッファの回路図である。
【図７】同プラズマディスプレイ装置の書込みパルスの一例を示す図である。
【図８Ａ】同プラズマディスプレイ装置のデータ電極駆動回路の電力を削減することができる理由を説明する図である。
【図８Ｂ】同プラズマディスプレイ装置のデータ電極駆動回路の電力を削減することができる理由を説明する図である。
【図８Ｃ】同プラズマディスプレイ装置のデータ電極駆動回路の電力を削減することができる理由を説明する図である。
【図９Ａ】同プラズマディスプレイ装置のデータ電極駆動回路の電力を削減することができる理由を説明する図である。
【図９Ｂ】同プラズマディスプレイ装置のデータ電極駆動回路の電力を削減することができる理由を説明する図である。
【図９Ｃ】同プラズマディスプレイ装置のデータ電極駆動回路の電力を削減することができる理由を説明する図である。
【図９Ｄ】同プラズマディスプレイ装置のデータ電極駆動回路の電力を削減することができる理由を説明する図である。
【図９Ｅ】同プラズマディスプレイ装置のデータ電極駆動回路の電力を削減することができる理由を説明する図である。
【図１０Ａ】同プラズマディスプレイ装置のデータ電極駆動回路の電力を削減することができる理由を説明する図である。
【図１０Ｂ】同プラズマディスプレイ装置のデータ電極駆動回路の電力を削減することができる理由を説明する図である。
【図１０Ｃ】同プラズマディスプレイ装置のデータ電極駆動回路の電力を削減することができる理由を説明する図である。
【図１０Ｄ】同プラズマディスプレイ装置のデータ電極駆動回路の電力を削減することができる理由を説明する図である。
【図１０Ｅ】同プラズマディスプレイ装置のデータ電極駆動回路の電力を削減することができる理由を説明する図である。
【図１１】同プラズマディスプレイ装置のデータ電極駆動回路の回路図である。
【図１２】本発明の実施の形態２におけるプラズマディスプレイ装置の回路ブロック図である。
【図１３】同プラズマディスプレイ装置のデータ電極駆動回路の回路図である。
【図１４】同プラズマディスプレイ装置のデータ電極駆動回路の動作を示すタイミングチャートである。
【図１５Ａ】本発明の実施の形態１および実施の形態２における出力バッファの他の構成例を示す図である。
【図１５Ｂ】本発明の実施の形態１および実施の形態２における出力バッファの他の構成例を示す図である。
【発明を実施するための形態】
【００１４】
以下、本発明の実施の形態におけるプラズマディスプレイ装置について、図面を用いて説明する。
【００１５】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１６】
これらの前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態１におけるプラズマディスプレイ装置のパネル１０の電極配列図である。パネル１０には、行方向（ライン方向）に長いｎ本の走査電極ＳＣ１〜走査電極ＳＣｎ（図１の走査電極１２）およびｎ本の維持電極ＳＵ１〜維持電極ＳＵｎ（図１の維持電極１３）が配列され、列方向に長いｍ本のデータ電極Ｄ１〜データ電極Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
このように配列された電極間には電極間容量が存在する。図３は、本発明の実施の形態１におけるプラズマディスプレイ装置のパネル１０の電極間容量を模式的に示した図であり、データ電極Ｄ１〜データ電極Ｄｍに関係する電極間容量を示している。表示電極対１４とデータ電極２２とが交差している部分のそれぞれには容量Ｃｓが存在する。また、隣接するデータ電極２２の間のそれぞれには容量Ｃｃが存在する。図３には、５本の走査電極ＳＣｉ−２〜走査電極ＳＣｉ＋２および維持電極ＳＵｉ−２〜維持電極ＳＵｉ＋２と６本のデータ電極Ｄｊ−２〜データ電極Ｄｊ＋３との交差部分の容量Ｃｓ、および６本のデータ電極Ｄｊ−２〜データ電極Ｄｊ＋３の間の容量Ｃｃを示している。ただし、走査電極ＳＣｉと維持電極ＳＵｉとからなる表示電極対を１本の太い横線で示し、表示電極対とデータ電極Ｄｊとの間の容量をＣｓで示した。なお１つのデータ電極Ｄｊはｎ本の走査電極ＳＣ１〜走査電極ＳＣｎおよびｎ本の維持電極ＳＵ１〜維持電極ＳＵｎと交差するので、データ電極Ｄｊと表示電極対全体との間には容量ｎ×Ｃｓが存在する。以下、この容量ｎ×Ｃｓを容量Ｃｇと表記する。
【００２０】
このようにデータ電極のそれぞれには、表示電極対全体との間の容量Ｃｇと、右側に隣接するデータ電極との間の容量Ｃｃと、左側に隣接するデータ電極との間の容量Ｃｃとがあり、合計の負荷容量は容量（Ｃｇ＋２Ｃｃ）となる。
【００２１】
次に、パネル１０を駆動する方法について説明する。本実施の形態においては、階調を表示する方法としてサブフィールド法を用いている。サブフィールド法は、１フィールド期間を複数のサブフィールドに分割し、サブフィールド毎に各放電セルの発光・非発光を制御することによって階調表示を行う方法である。各サブフィールドは初期化期間、書込み期間、維持期間を有する。
【００２２】
図４は、本発明の実施の形態１におけるプラズマディスプレイ装置３０のパネル１０の各電極に印加する駆動電圧波形を示す図であり、図４には２つのサブフィールドＳＦ１、サブフィールドＳＦ２に対する駆動電圧波形を示している。
【００２３】
サブフィールドＳＦ１の初期化期間では、データ電極Ｄ１〜データ電極Ｄｍおよび維持電極ＳＵ１〜維持電極ＳＵｎに電圧０（Ｖ）を印加するとともに、電圧Ｖｉ１から電圧Ｖｉ２に向かって緩やかに上昇するランプ電圧を走査電極ＳＣ１〜走査電極ＳＣｎに印加する。その後、維持電極ＳＵ１〜維持電極ＳＵｎに電圧Ｖｅを印加するとともに、電圧Ｖｉ３から電圧Ｖｉ４に向かって緩やかに下降するランプ電圧を走査電極ＳＣ１〜走査電極ＳＣｎに印加する。すると各放電セルで微弱な初期化放電が発生し、続く書込み動作に必要な壁電荷を各電極上に形成する。なお、初期化期間の動作としては、サブフィールドＳＦ２の初期化期間に示したように、電圧Ｖｉ４に向かって緩やかに下降するランプ電圧を走査電極ＳＣ１〜走査電極ＳＣｎに印加するだけでもよい。
【００２４】
続く書込み期間では、消費電力を削減するためにデータ電極Ｄ１〜データ電極Ｄｍに印加する書込みパルスの形状を工夫しているが、書込みパルスの詳細については後述することとして、ここでは書込み期間における書込み動作の概要について説明する。
【００２５】
維持電極ＳＵ１〜維持電極ＳＵｎに電圧Ｖｅを、走査電極ＳＣ１〜走査電極ＳＣｎに電圧Ｖｃを、データ電極Ｄ１〜データ電極Ｄｍに電圧０（Ｖ）をそれぞれ印加する。次に、最初の書込み周期において１ライン目の走査電極ＳＣ１に電圧Ｖａの走査パルスを印加するとともに、発光すべき放電セルに対応するデータ電極Ｄｋ（ｋ＝１〜ｍ）に電圧Ｖｄの書込みパルスを印加する。すると走査パルスと書込みパルスとが同時に印加された１ライン目の放電セルでは書込み放電が発生し、走査電極ＳＣ１および維持電極ＳＵ１に壁電荷を蓄積する書込み動作が行われる。一方、書込みパルスを印加しなかった放電セルでは書込み放電は発生せず、初期化期間終了後の壁電圧が保たれる。
【００２６】
次に、２番目の書込み周期において２ライン目の走査電極ＳＣ２に電圧Ｖａの走査パルスを印加するとともに、発光すべき放電セルに対応するデータ電極Ｄｋに電圧Ｖｄの書込みパルスを印加する。すると走査パルスと書込みパルスとが同時に印加された２ライン目の放電セルでは書込み放電が発生し、走査電極ＳＣ２および維持電極ＳＵ２に壁電荷を蓄積する書込み動作が行われる。
【００２７】
以降同様に、ｉ番目の書込み周期においてｉライン目の走査電極ＳＣｉに電圧Ｖａの走査パルスを印加するとともに、発光すべき放電セルに対応するデータ電極Ｄｋに電圧Ｖｄの書込みパルスを印加する。すると走査パルスと書込みパルスとが同時に印加されたｉライン目の放電セルでは書込み放電が発生し、走査電極ＳＣｉおよび維持電極ＳＵｉに壁電荷を蓄積する書込み動作が行われる。
【００２８】
この書込み動作をｎライン目の放電セルに至るまで行い、発光すべき放電セルに対して選択的に書込み放電を発生させ壁電荷を形成する。
【００２９】
続く維持期間では、維持電極ＳＵ１〜維持電極ＳＵｎに電圧０（Ｖ）を印加する。そして走査電極ＳＣ１〜走査電極ＳＣｎに維持パルス電圧Ｖｓを印加する。すると、書込み放電を起こした放電セルでは維持放電が起こり発光する。次に、走査電極ＳＣ１〜走査電極ＳＣｎに電圧０（Ｖ）を印加するとともに、維持電極ＳＵ１〜維持電極ＳＵｎに維持パルス電圧Ｖｓを印加する。すると維持放電を起こした放電セルでは再び維持放電が起こり発光する。以降、輝度重みに応じた数の維持パルスを走査電極ＳＣ１〜走査電極ＳＣｎと維持電極ＳＵ１〜維持電極ＳＵｎとに交互に印加して、放電セルを発光させる。その後、電圧Ｖｒに向かって緩やかに上昇するランプ電圧を走査電極ＳＣ１〜走査電極ＳＣｎに印加して壁電荷消去を行い維持期間を終了する。
【００３０】
続くサブフィールドにおいても、維持パルスの数を除き、上述したサブフィールドの動作と同様の動作を繰り返すことにより放電セルを発光させている。
【００３１】
図５は、本発明の実施の形態１におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００３２】
画像信号処理回路３１は、サブフィールドのそれぞれにおける発光・非発光をデジタル信号のそれぞれのビットの「１」、「０」に対応させた画像データを出力する。
【００３３】
データ電極駆動回路３２は、画像信号処理回路３１から出力された画像データをデータ電極Ｄ１〜データ電極Ｄｍのそれぞれに対応する書込みパルスに変換し、各データ電極Ｄ１〜データ電極Ｄｍに印加する。具体的には、データ電極駆動回路３２は、書込みパルスの高圧側電圧より低く低圧側電圧よりも高い中間電圧に充電された回収コンデンサを備えると共に、高圧側電圧を出力する高圧側スイッチと低圧側電圧を出力する低圧側スイッチと回収コンデンサに接続する回収スイッチとを有する出力バッファをデータ電極Ｄ１〜データ電極Ｄｍのそれぞれに対して備えている。そして後述する書込み期間の書込み周期毎に書込みパルスの高圧側電圧または書込みパルスの低圧側電圧をデータ電極Ｄ１〜データ電極Ｄｍのそれぞれに印加する。
【００３４】
図６は、本発明の実施の形態１におけるプラズマディスプレイ装置３０のデータ電極駆動回路３２の出力バッファの回路図である。データ電極駆動回路３２の出力バッファは、回収コンデンサＣ４０、高圧側スイッチＱＨ１〜高圧側スイッチＱＨｍ、低圧側スイッチＱＬ１〜低圧側スイッチＱＬｍ、回収スイッチＱＣ１〜回収スイッチＱＣｍを有する。なお図６においては、回収スイッチＱＣ１〜回収スイッチＱＣｍのそれぞれは２個のＦＥＴをバックツーバック接続して構成されているが、他の構成であってもよい。
【００３５】
回収コンデンサＣ４０は電極間容量に比較して十分大きい容量をもち、書込みパルスの高圧側電圧Ｖｄより低く低圧側電圧０（Ｖ）よりも高い中間電圧（Ｖｄ／２）に充電されている。そして回収スイッチＱＣｊをオンにすることでデータ電極Ｄｊに中間電圧（Ｖｄ／２）を印加し、低圧側スイッチＱＬｊをオンにすることでデータ電極Ｄｊに電圧０（Ｖ）を印加し、高圧側スイッチＱＨｊをオンにすることでデータ電極Ｄｊに電圧Ｖｄを印加する。
【００３６】
タイミング発生回路３５は水平同期信号、垂直同期信号をもとにして各回路の動作を制御する各種のタイミング信号を発生し、それぞれの回路へ供給する。走査電極駆動回路３３はタイミング信号に基づいて各走査電極ＳＣ１〜走査電極ＳＣｎをそれぞれ駆動する。維持電極駆動回路３４はタイミング信号に基づいて維持電極ＳＵ１〜維持電極ＳＵｎを駆動する。
【００３７】
次に、データ電極Ｄ１〜データ電極Ｄｍに印加する書込みパルスの詳細について、データ電極駆動回路３２の動作とともに説明する。本実施の形態においては、書込み周期のそれぞれの最初に第１遷移期間Ｔａを設け、データ電極Ｄｋに印加する電圧を維持パルスの低圧側電圧０（Ｖ）から高圧側電圧Ｖｄに切り替える場合にはこの第１遷移期間Ｔａに電圧を遷移させている。また書込み周期のそれぞれの最後に第２遷移期間Ｔｂを設け、データ電極Ｄｋに印加する電圧を維持パルスの高圧側電圧Ｖｄから低圧側電圧０（Ｖ）に切り替える場合にはこの第２遷移期間Ｔｂに電圧を遷移させている。
【００３８】
図７は、本発明の実施の形態１におけるプラズマディスプレイ装置３０の書込みパルスの一例を示す図であり、書込み期間における３つの書込み周期Ｔｉ−１〜Ｔｉ＋１について、走査電極ＳＣｉ−１〜走査電極ＳＣｉ＋１、データ電極Ｄｊ−２〜データ電極Ｄｊ＋３に印加する駆動電圧波形の詳細を示している。以下では図７に示したように、書込み周期Ｔｉ−１の直前の書込み周期Ｔｉ−２ではデータ電極Ｄｊ−２〜データ電極Ｄｊ＋３に書込みパルスを印加せず、書込み周期Ｔｉ−１ではデータ電極Ｄｊ−２、データ電極Ｄｊ−１、データ電極Ｄｊ、データ電極Ｄｊ＋２に書込みパルスを印加し、書込み周期Ｔｉではデータ電極Ｄｊ＋１、データ電極Ｄｊ＋３に書込みパルスを印加し、書込み周期Ｔｉ＋１ではデータ電極Ｄｊ−１、データ電極Ｄｊ、データ電極Ｄｊ＋３に書込みパルスを印加するものとして説明する。
【００３９】
まずｉ−１番目の書込み周期Ｔｉ−１において、ｉ−１ライン目の走査電極ＳＣｉ−１に電圧Ｖａの走査パルスを印加する。そして第１遷移期間Ｔａの開始時刻ｔ１１において、出力バッファの回収スイッチＱＣｊ−２、回収スイッチＱＣｊ−１、回収スイッチＱＣｊ、回収スイッチＱＣｊ＋２をオンにして、データ電極Ｄｊ−２、データ電極Ｄｊ−１、データ電極Ｄｊ、データ電極Ｄｊ＋２の電圧を電圧０（Ｖ）から中間電圧（Ｖｄ／２）に遷移させる。
【００４０】
そして時刻ｔ１４において、出力バッファの回収スイッチＱＣｊ−１をオフ、高圧側スイッチＱＨｊ−１をオンにして、データ電極Ｄｊ−１の電圧を中間電圧（Ｖｄ／２）から電圧Ｖｄに遷移させる。また時刻ｔ１５において、出力バッファの回収スイッチＱＣｊ−２、回収スイッチＱＣｊをオフ、出力バッファの高圧側スイッチＱＨｊ−２、高圧側スイッチＱＨｊをオンにして、データ電極Ｄｊ−２、データ電極Ｄｊの電圧を中間電圧（Ｖｄ／２）から電圧Ｖｄに遷移させる。また時刻ｔ１６において、出力バッファの回収スイッチＱＣｊ＋２をオフ、出力バッファの高圧側スイッチＱＨｊ＋２をオンにして、データ電極Ｄｊ＋２の電圧を中間電圧（Ｖｄ／２）から電圧Ｖｄに遷移させる。
【００４１】
このようにして、データ電極Ｄｊ−２、データ電極Ｄｊ−１、データ電極Ｄｊ、データ電極Ｄｊ＋２に電圧Ｖｄの書込みパルスを印加すると、走査パルスと書込みパルスとが同時に印加されたｉ−１ライン目の放電セルでは書込み放電が発生して書込み動作が行われる。その後、出力バッファの高圧側スイッチのそれぞれをオフにする。
【００４２】
次に、ｉ−１ライン目の走査電極ＳＣｉ−１の電圧を電圧Ｖｃに戻す。そして第２遷移期間Ｔｂにおいて、データ電極Ｄｊ−２、データ電極Ｄｊ−１、データ電極Ｄｊ、データ電極Ｄｊ＋２の電圧を電圧Ｖｄから電圧０（Ｖ）に遷移させる。このとき図７に示したように、第２遷移期間Ｔｂの開始時刻はデータ電極それぞれに独立に設定される。具体的には、第２遷移期間Ｔｂ１の開始時刻ｔ２１において出力バッファの回収スイッチＱＣｊ＋２をオンにしてデータ電極Ｄｊ＋２の電圧を電圧Ｖｄから中間電圧（Ｖｄ／２）に遷移させ、時刻ｔ２４において出力バッファの回収スイッチＱＣｊ＋２をオフ、低圧側スイッチＱＬｊ＋２をオンにしてデータ電極Ｄｊ＋２の電圧を中間電圧（Ｖｄ／２）から電圧０（Ｖ）に遷移させる。また第２遷移期間Ｔｂ２の開始時刻ｔ２２において出力バッファの回収スイッチＱＣｊ−２、回収スイッチＱＣｊをオンにしてデータ電極Ｄｊ−２、データ電極Ｄｊの電圧を電圧Ｖｄから中間電圧（Ｖｄ／２）に遷移させ、時刻ｔ２５において出力バッファの回収スイッチＱＣｊ−２、回収スイッチＱＣｊをオフ、低圧側スイッチＱＬｊ−２、低圧側スイッチＱＬｊをオンにしてデータ電極Ｄｊ−２、データ電極Ｄｊの電圧を中間電圧（Ｖｄ／２）から電圧０（Ｖ）に遷移させる。また、第２遷移期間Ｔｂ３の開始時刻ｔ２３において出力バッファの回収スイッチＱＣｊ−１をオンにしてデータ電極Ｄｊ−１の電圧を電圧Ｖｄから中間電圧（Ｖｄ／２）に遷移させ、時刻ｔ２６において出力バッファの回収スイッチＱＣｊ−１をオフ、低圧側スイッチＱＬｊ−１をオンにしてデータ電極Ｄｊ−１の電圧を中間電圧（Ｖｄ／２）から電圧０（Ｖ）に遷移させる。
【００４３】
このように、データ電極Ｄｊ−２、データ電極Ｄｊに対する第２遷移期間Ｔｂ２は、データ電極Ｄｊ−１に対する第２遷移期間Ｔｂ３よりも長く、データ電極Ｄｊ＋２に対する第２遷移期間Ｔｂ１よりも短く設定されている。
【００４４】
次にｉ番目の書込み周期Ｔｉにおいて、ｉライン目の走査電極ＳＣｉに電圧Ｖａの走査パルスを印加する。そして第１遷移期間Ｔａの開始時刻ｔ３１において、出力バッファの回収スイッチＱＣｊ＋１、回収スイッチＱＣｊ＋３をオンにして、データ電極Ｄｊ＋１、データ電極Ｄｊ＋３の電圧を電圧０（Ｖ）から中間電圧（Ｖｄ／２）に遷移させる。そして時刻ｔ３５において出力バッファの回収スイッチＱＣｊ＋３をオフ、高圧側スイッチＱＨｊ＋３をオンにして、データ電極Ｄｊ＋３の電圧を中間電圧（Ｖｄ／２）から電圧Ｖｄに遷移させる。また時刻ｔ３６において出力バッファの回収スイッチＱＣｊ＋１をオフ、高圧側スイッチＱＨｊ＋１をオンにして、データ電極Ｄｊ＋１の電圧を中間電圧（Ｖｄ／２）から電圧Ｖｄに遷移させる。
【００４５】
このようにして、データ電極Ｄｊ＋１、データ電極Ｄｊ＋３に電圧Ｖｄの書込みパルスを印加すると、走査パルスと書込みパルスとが同時に印加されたｉライン目の放電セルでは書込み放電が発生して書込み動作が行われる。その後、出力バッファの高圧側スイッチＱＨｊ＋１をオフにする。
【００４６】
次に、ｉライン目の走査電極ＳＣｉの電圧を電圧Ｖｃに戻す。そして第２遷移期間Ｔｂ１の開始時刻ｔ４１において出力バッファの回収スイッチＱＣｊ＋１をオンにしてデータ電極Ｄｊ＋１の電圧を電圧Ｖｄから中間電圧（Ｖｄ／２）に遷移させ、時刻ｔ４４において出力バッファの回収スイッチＱＣｊ＋１をオフ、低圧側スイッチＱＬｊ＋１をオンにしてデータ電極Ｄｊ＋１の電圧を中間電圧（Ｖｄ／２）から電圧０（Ｖ）に遷移させる。
【００４７】
次にｉ＋１番目の書込み周期Ｔｉ＋１において、ｉ＋１ライン目の走査電極ＳＣｉ＋１に電圧Ｖａの走査パルスを印加する。そして第１遷移期間Ｔａの開始時刻ｔ５１において、出力バッファの回収スイッチＱＣｊ−１、回収スイッチＱＣｊをオンにして、データ電極Ｄｊ−１、データ電極Ｄｊの電圧を電圧０（Ｖ）から中間電圧（Ｖｄ／２）に遷移させる。そして時刻ｔ５５において、出力バッファの回収スイッチＱＣｊ−１、回収スイッチＱＣｊをオフ、出力バッファの高圧側スイッチＱＨｊ−１、高圧側スイッチＱＨｊをオンにして、データ電極Ｄｊ−１、データ電極Ｄｊの電圧を中間電圧（Ｖｄ／２）から電圧Ｖｄに遷移させる。なおデータ電極Ｄｊ＋３の電圧は電圧Ｖｄのままである。
【００４８】
このようにして、データ電極Ｄｊ−１、データ電極Ｄｊ、データ電極Ｄｊ＋３に電圧Ｖｄの書込みパルスを印加すると、走査パルスと書込みパルスとが同時に印加されたｉ＋１ライン目の放電セルでは書込み放電が発生して書込み動作が行われる。その後、出力バッファの高圧側スイッチＱＨｊ−１、高圧側スイッチＱＨｊ＋３オフにする。
【００４９】
次に、ｉ＋１ライン目の走査電極ＳＣｉ＋１の電圧を電圧Ｖｃに戻す。そして第２遷移期間Ｔｂにおいて、データ電極Ｄｊ−１、データ電極Ｄｊ＋３の電圧を電圧Ｖｄから電圧０（Ｖ）に遷移させる。このときも具体的には、第２遷移期間Ｔｂ１の開始時刻ｔ６１において出力バッファの回収スイッチＱＣｊ−１をオンにしてデータ電極Ｄｊ−１の電圧を電圧Ｖｄから中間電圧（Ｖｄ／２）に遷移させ、時刻ｔ６４において出力バッファの回収スイッチＱＣｊ−１をオフ、低圧側スイッチＱＬｊ−１をオンにしてデータ電極Ｄｊ−１の電圧を中間電圧（Ｖｄ／２）から電圧０（Ｖ）に遷移させる。また第２遷移期間Ｔｂ２の開始時刻ｔ６２において出力バッファの回収スイッチＱＣｊ＋３をオンにしてデータ電極Ｄｊ＋３の電圧を電圧Ｖｄから中間電圧（Ｖｄ／２）に遷移させ、時刻ｔ６５において出力バッファの回収スイッチＱＣｊ＋３をオフ、低圧側スイッチＱＬｊ＋３をオンにしてデータ電極Ｄｊ＋３の電圧を中間電圧（Ｖｄ／２）から電圧０（Ｖ）に遷移させる。
【００５０】
ここでも、データ電極Ｄｊ＋３に対する第２遷移期間Ｔｂ２は、データ電極Ｄｊ−１に対する第２遷移期間Ｔｂ１よりも短く設定されている。
【００５１】
このように本実施の形態においては、出力電圧を低圧側電圧０（Ｖ）から高圧側電圧Ｖｄに遷移させる出力バッファは、書込み周期のそれぞれに設けられた第１遷移期間に回収スイッチをオンにして低圧側電圧０（Ｖ）から中間電圧Ｖｄ／２に遷移させた後に回収スイッチをオフにし高圧側スイッチをオンにして中間電圧Ｖｄ／２から高圧側電圧Ｖｄに出力電圧を遷移させる。また出力電圧を高圧側電圧Ｖｄから低圧側電圧０（Ｖ）に遷移させる出力バッファは、書込み周期のそれぞれに設けられかつ第１遷移期間と時間的に重ならない第２遷移期間に回収スイッチをオンにして高圧側電圧Ｖｄから中間電圧Ｖｄ／２に遷移させた後に回収スイッチをオフにし低圧側スイッチをオンにして中間電圧Ｖｄ／２から低圧側電圧０（Ｖ）に出力電圧を遷移させている。これにより、一定の電圧Ｖｄを有する電源からデータ電極駆動回路３２に電力を供給して安定した書込み放電を行うとともに、データ電極駆動回路３２の消費電力を削減することができる。その理由について以下に説明する。
【００５２】
まず、低圧側電圧０（Ｖ）から高圧側電圧Ｖｄに遷移させる第１遷移期間と高圧側電圧Ｖｄから低圧側電圧０（Ｖ）に遷移させる第２遷移期間とを時間的に重ならないようにした理由について説明する。
【００５３】
図８Ａ〜図８Ｃ、図９Ａ〜図９Ｅは、本発明の実施の形態１におけるプラズマディスプレイ装置３０のデータ電極駆動回路３２の電力を削減することができる理由を説明する図であり、データ電極Ｄｊおよびデータ電極Ｄｊ＋１に対する出力バッファと、そこに流れる電流を示している。コンデンサＣｃはデータ電極Ｄｊとデータ電極Ｄｊ＋１との間の電極間容量を示している。なお高圧側スイッチＱＨｊ、高圧側スイッチＱＨｊ＋１、低圧側スイッチＱＬｊ、低圧側スイッチＱＬｊ＋１、回収スイッチＱＣｊ、回収スイッチＱＣｊ＋１を、「スイッチ」のシンボルで示した。
【００５４】
ここで、データ電極Ｄｊに書込みパルスを印加していない状態から書込みパルスを印加する状態に遷移させ、データ電極Ｄｊ＋１に書込みパルスを印加している状態から書込みパルスを印加しない状態に遷移させる場合について考える。この場合の初期状態は図８Ｂに示すように、コンデンサＣｃのデータ電極Ｄｊの側の端子電圧は電圧０（Ｖ）であり、データ電極Ｄｊ＋１の側の端子電圧は正の電圧Ｖｄである。
【００５５】
まず比較のために、第１遷移期間と第２遷移期間とを時間的に分離することなく、コンデンサＣｃの両端の電圧を同時に遷移させたと仮定する。すなわち図８Ｃに示すように、高圧側スイッチＱＨｊと低圧側スイッチＱＬｊ＋１とを同時にオンにして、電圧Ｖｄの電源から高圧側スイッチＱＨｊ、コンデンサＣｃ、低圧側スイッチＱＬｊ＋１、接地電位へ電流Ｉａを流して、コンデンサＣｃを充電する。このときコンデンサＣｃの端子間電圧は電圧（−Ｖｄ）から電圧Ｖｄまで変化するので、電源から供給する電荷はＱ＝Ｃｃ×２Ｖｄとなり、電力はＱＶ＝２ＣｃＶｄ２となる。
【００５６】
一方、本実施の形態においては、まず第２遷移期間において、図９Ａに示す初期状態から、回収スイッチＱＣｊ＋１をオンにする。すると図９Ｂに示すように、接地電位から低圧側スイッチＱＬｊの寄生ダイオード、コンデンサＣｃ、回収スイッチＱＣｊ＋１、回収コンデンサＣ４０へ電流Ｉｂが流れて、コンデンサＣｃのデータ電極Ｄｊ＋１の側の端子電圧が中間電圧Ｖｄ／２まで低下する。
【００５７】
次に回収スイッチＱＣｊ＋１をオフ、低圧側スイッチＱＬｊ＋１をオンにする。すると図９Ｃに示すように、接地電位から低圧側スイッチＱＬｊの寄生ダイオード、コンデンサＣｃ、低圧側スイッチＱＬｊ＋１、接地電位へ電流Ｉｃが流れて、コンデンサＣｃが放電してコンデンサＣｃの端子電圧はどちらも電圧０（Ｖ）となる。
【００５８】
次に低圧側スイッチＱＬｊ＋１をオンにしたまま回収スイッチＱＣｊをオンにする。すると図９Ｄに示すように、回収コンデンサＣ４０から、回収スイッチＱＣｊ、コンデンサＣｃ、低圧側スイッチＱＬｊ＋１、接地電位へ電流Ｉｄが流れて、コンデンサＣｃのデータ電極Ｄｊの側の端子電圧が中間電圧Ｖｄ／２まで上昇する。この間、電源から電力が供給されることはない。
【００５９】
その後、回収スイッチＱＣｊをオフ、高圧側スイッチＱＨｊをオンにする。すると図９Ｅに示すように、電圧Ｖｄの電源から高圧側スイッチＱＨｊ、コンデンサＣｃ、低圧側スイッチＱＬｊ＋１、接地電位へ電流Ｉｅが流れて、コンデンサＣｃのデータ電極Ｄｊの側の端子電圧が電圧Ｖｄまで上昇する。このとき電圧Ｖｄの電源から電力が供給されてコンデンサＣｃの端子間電圧が電圧Ｖｄ／２から電圧Ｖｄまで変化するので、電源から供給する電荷はＱ＝Ｃｃ×Ｖｄ／２となり、電力はＱＶ＝ＣｃＶｄ２／２となる。
【００６０】
このように隣接するデータ電極が互いに逆の電圧に遷移する場合には、本実施の形態においては、隣接するデータ電極の間の電極間容量Ｃｃの充放電する電力をおよそ１／４に削減することができる。
【００６１】
次に、回収コンデンサＣ４０と回収スイッチＱＣｊとを用いて、低圧側電圧０（Ｖ）および高圧側電圧Ｖｄの一方から他方へ遷移させる際に、いったん中間電圧Ｖｄ／２に遷移させる理由について説明する。
【００６２】
図１０Ａ〜図１０Ｅは、本発明の実施の形態１におけるプラズマディスプレイ装置３０のデータ電極駆動回路３２の電力を削減することができる理由を説明する図であり、データ電極Ｄｊに対する出力バッファと、そこに流れる電流を示している。コンデンサＣｘはデータ電極Ｄｊの実質的な負荷容量を示しており、容量Ｃｇ、（Ｃｇ＋Ｃｃ）、（Ｃｇ＋２Ｃｃ）のいずれかである。ここでも高圧側スイッチＱＨｊ、低圧側スイッチＱＬｊ、回収スイッチＱＣｊを「スイッチ」のシンボルで示した。
【００６３】
ここで、データ電極Ｄｊの電圧を電圧０（Ｖ）から電圧Ｖｄまで遷移させる場合について考える。この場合の初期状態を図１０Ｂに示す。
【００６４】
まず比較のために、データ電極Ｄｊの電圧を、中間電圧Ｖｄ／２に遷移させることなく、直接に電圧０（Ｖ）から電圧Ｖｄまで遷移させたと仮定する。すなわち図１０Ｃに示すように、高圧側スイッチＱＨｊをオンにして、電圧Ｖｄの電源から高圧側スイッチＱＨｊ、コンデンサＣｘ、接地電位へ電流Ｉｆを流して、コンデンサＣｘを充電する。このときコンデンサＣｘの端子間電圧は電圧０（Ｖ）から電圧Ｖｄまで変化するので、電源から供給する電荷はＱ＝Ｃｘ×Ｖｄとなり、電力はＱＶ＝ＣｘＶｄ２となる。
【００６５】
一方、本実施の形態においては、第１遷移期間において、まず図１０Ｂに示す初期状態から、回収スイッチＱＣｊをオンにする。すると図１０Ｄに示すように、回収コンデンサＣ４０から回収スイッチＱＣｊ、コンデンサＣｘ、接地電位へ電流Ｉｇが流れて、コンデンサＣｘの端子電圧が中間電圧Ｖｄ／２まで上昇する。
【００６６】
次に回収スイッチＱＣｊをオフ、高圧側スイッチＱＨｊをオンにする。すると図１０Ｅに示すように、電圧Ｖｄの電源から高圧側スイッチＱＨｊ、コンデンサＣｘ、接地電位へ電流Ｉｈが流れて、コンデンサＣｘの端子電圧が高圧側の電圧Ｖｄまで上昇する。このとき電圧Ｖｄの電源から電力が供給されてコンデンサＣｘの端子電圧が電圧Ｖｄ／２から電圧Ｖｄまで変化するので、電源から供給する電荷はＱ＝Ｃｘ×Ｖｄ／２となり、電力はＱＶ＝ＣｘＶｄ２／２となる。
【００６７】
このように本実施の形態においては、データ電極の実質的な負荷容量Ｃｘの充放電する電力をおよそ１／２に削減することができる。
【００６８】
なおデータ電極Ｄｊの電圧を電圧Ｖｄから電圧０（Ｖ）まで遷移させる場合については、いずれの場合にも電源からは電力は供給されない。
【００６９】
以上の理由により、本実施の形態においてデータ電極駆動回路３２の消費電力を削減することができる。
【００７０】
次に、第２遷移期間Ｔｂの開始時刻を、データ電極それぞれに独立に設定した理由について説明する。上述したように、データ電極Ｄｊの負荷容量は、表示電極対全体との間の容量Ｃｇと、右側に隣接するデータ電極との間の容量Ｃｃと、左側に隣接するデータ電極との間の容量Ｃｃとの合計の容量（Ｃｇ＋２Ｃｃ）である。しかしデータ電極Ｄｊに印加する電圧を遷移させる際に出力バッファから見た実質的な付加容量は隣接するデータ電極に印加する電圧に依存して変化する。
【００７１】
例えば図７に示した書込み周期Ｔｉ−１の第２遷移期間においてデータ電極Ｄｊ−１に注目すると、隣接するデータ電極Ｄｊ−２の電圧およびデータ電極Ｄｊの電圧の両方ともデータ電極Ｄｊ−１と同様に電圧Ｖｄから電圧０（Ｖ）に遷移する。そのため隣接するデータ電極との間の容量Ｃｃを無視することができ、データ電極Ｄｊ−１の実質的な負荷容量は容量Ｃｇとなる。その結果、データ電極Ｄｊ−１の電圧を電圧Ｖｄから電圧０（Ｖ）に遷移させるまでに要する時間は短くなる。
【００７２】
またデータ電極Ｄｊに注目すると、データ電極Ｄｊに隣接するデータ電極Ｄｊ−１の電圧は電圧Ｖｄから電圧０（Ｖ）に遷移するが、データ電極Ｄｊ＋１の電圧は電圧０（Ｖ）一定であり変化しない。そのためデータ電極Ｄｊ−１との間の容量Ｃｃは無視することができるが、データ電極Ｄｊ＋１との間の容量Ｃｃは無視することができず、データ電極Ｄｊの実質的な負荷容量は容量（Ｃｇ＋Ｃｃ）となる。その結果、データ電極Ｄｊの電圧を電圧Ｖｄから電圧０（Ｖ）に遷移させるまでに要する時間は、データ電極Ｄｊ−１の電圧を電圧Ｖｄから電圧０（Ｖ）に遷移させるまでに要する時間よりも長くなる。
【００７３】
さらにデータ電極Ｄｊ＋２に注目すると、隣接するデータ電極Ｄｊ＋１およびデータ電極Ｄｊ＋３の両方の電圧が変化しないので、データ電極Ｄｊ＋２に印加する電圧を遷移させるときには隣接するデータ電極との間の容量Ｃｃを無視することができない。そのため実質的な負荷容量は容量（Ｃｇ＋２Ｃｃ）となり、データ電極Ｄｊ＋２の電圧を電圧Ｖｄから電圧０（Ｖ）に遷移させるまでに要する時間は、データ電極Ｄｊの電圧を電圧Ｖｄから電圧０（Ｖ）に遷移させるまでに要する時間よりもさらに長くなる。このように、データ電極に印加する電圧の遷移に要する時間は一定ではない。
【００７４】
そのため本実施の形態においては、第２遷移期間の開始時刻は出力バッファのそれぞれに対して設定され、隣接する片側のデータ電極の電圧のみが遷移するデータ電極に対する出力バッファの開始時刻は、隣接する両側のデータ電極の電圧が共に遷移するデータ電極に対する出力バッファの開始時刻よりも早く設定している。また隣接する両側のデータ電極の電圧が共に遷移しないデータ電極に対する出力バッファの開始時刻は、隣接する片側のデータ電極の電圧のみが遷移するデータ電極に対する出力バッファの開始時刻よりも早く設定している。このように電圧の遷移に要する時間が長い場合には早めに遷移を開始し、電圧の遷移に要する時間が短い場合には遅めに遷移を開始することにより、書込みパルス電圧Ｖｄを印加する時間を長くすることができ、駆動時間を有効に用いた書込み動作を行うことができる。
【００７５】
また第１遷移期間において、低圧側電圧０（Ｖ）から中間電圧Ｖｄ／２への遷移に要する時間が長い場合には中間電圧Ｖｄ／２から高圧側電圧Ｖｄへの遷移を遅めに開始し、低圧側電圧０（Ｖ）から中間電圧Ｖｄ／２への遷移に要する時間が短い場合には中間電圧Ｖｄ／２から高圧側電圧Ｖｄへの遷移を早めに開始している。これによりさらに駆動時間を有効に用いた書込み動作を行っている。
【００７６】
図１１は、本発明の実施の形態１におけるプラズマディスプレイ装置３０のデータ電極駆動回路３２の回路図である。データ電極駆動回路３２は、シフトレジスタ部４１と、自己負荷算出部４２と、隣接負荷算出部４４と、出力バッファ部４８とを有する。
【００７７】
シフトレジスタ部４１は、少なくともデータ電極の数と同じ数のラッチ４１ｊを有するシフトレジスタである。そしてシリアル転送された画像データのサブフィールドに対応するビットＱ（以下、単に「画像データＱ」と略記する）をシリアル／パラレル変換する。すなわち、シリアル転送された画像データＱをクロックＤｃｋにより順次シフトすることによりデータ電極Ｄｊのそれぞれに対する画像データＱｊを出力する。
【００７８】
自己負荷算出部４２は、データ電極Ｄｊのそれぞれに対応して設けられた１ラインディレイ４２ｊと論理ゲート４３ｊとを有する。１ラインディレイ４２ｊはデータ電極Ｄｊに対応する画像データＱｊを１水平帰線期間遅延して画像データＤＱｊを出力する。論理ゲート４３ｊは画像データＤＱｊと画像データＱｊとに基づき、対応するデータ電極Ｄｊに印加する書込みパルスの変化を検出する。具体的には、画像データＱｊが「Ｈ」→「Ｌ」と変化する場合には論理ゲート４３ｊの出力が「Ｈ」となり、それ以外の場合には「Ｌ」となる。
【００７９】
隣接負荷算出部４４は、データ電極Ｄｊのそれぞれに対応して設けられた論理ゲート４４ｊ〜論理ゲート４７ｊを有し、隣接するデータ電極Ｄｊ−１、データ電極Ｄｊ＋１に対応する画像データの変化に基づき、対応するデータ電極Ｄｊに隣接するデータ電極間の実質的な負荷容量の大きさを算出する。具体的には、隣接するデータ電極Ｄｊ−１、データ電極Ｄｊ＋１の画像データＱｊ−１、画像データＱｊ＋１が共に「Ｈ」→「Ｌ」と変化しない場合には論理ゲート４６ｊの出力が「Ｈ」となる。またデータ電極Ｄｊに隣接するデータ電極Ｄｊ−１、データ電極Ｄｊ＋１の一方のみの画像データが「Ｈ」→「Ｌ」と変化する場合には論理ゲート４７ｊの出力が「Ｈ」となる。それ以外の場合には論理ゲート４６ｊの出力および論理ゲート４７ｊの出力は「Ｌ」となる。
【００８０】
したがって論理ゲート４６ｊの出力が「Ｈ」であれば、データ電極Ｄｊの画像データが「Ｈ」→「Ｌ」と変化する場合のデータ電極Ｄｊの実質的な負荷容量は容量（Ｃｇ＋２Ｃｃ）であり、論理ゲート４７ｊの出力が「Ｈ」であれば容量（Ｃｇ＋Ｃｃ）であり、それ以外では容量Ｃｇである。
【００８１】
出力バッファ部４８は、データ電極Ｄｊのそれぞれに印加する書込みパルスを発生する出力バッファ４８ｊを有する。そして出力バッファ４８ｊのそれぞれは、書込みパルスの高圧側の電圧Ｖｄを出力する高圧側スイッチＱＨｊと書込みパルスの低圧側の電圧０（Ｖ）を出力する低圧側スイッチＱＬｊと、中間電圧Ｖｄ／２に充電された回収コンデンサＣ４０（図示せず）に接続する回収スイッチＱＣｊとを有する。
【００８２】
このとき出力バッファ４８ｊのそれぞれは、対応するデータ電極Ｄｊに印加する電圧を高圧側電圧から中間電圧Ｖｄ／２を経て低圧側電圧に切り替える際に、対応する論理ゲート４６ｊの出力が「Ｈ」であれば第２遷移期間の時間が最も長くなるように最も早いタイミングで電圧を遷移させる。また論理ゲート４７ｊの出力が「Ｈ」であれば第２遷移期間の時間が２番目に長くなるように２番目に早いタイミングで電圧を遷移させる。また論理ゲート４６ｊおよび論理ゲート４７ｊの出力が共に「Ｌ」であれば第２遷移期間の時間が最も短くなるように最も遅いタイミングで電圧を遷移させる。
【００８３】
このように、隣接するデータ電極間の実質的な負荷容量の大きさに応じて第２遷移期間の開始時刻を設定することにより、駆動時間を有効に用いたパネルの駆動を行うことができる。
【００８４】
なお本実施の形態においては、第２遷移期間の開始時刻は出力バッファのそれぞれに対して設定されるものとして説明した。しかし本発明はこれに限定されるものではない。例えば、データ電極駆動回路３２が、出力バッファを複数集積した集積回路を複数個用いて構成されている場合、第２遷移期間の開始時刻を集積回路のそれぞれに対して設定してもよい。以下このような例を実施の形態２として説明する。
【００８５】
（実施の形態２）
図１２は、本発明の実施の形態２におけるプラズマディスプレイ装置６０の回路ブロック図である。プラズマディスプレイ装置６０は、パネル１０、画像信号処理回路３１、データ電極駆動回路６２、走査電極駆動回路３３、維持電極駆動回路３４、タイミング発生回路３５および各回路ブロックに必要な電源を供給する電源回路（図示せず）を備えている。実施の形態１と同じ回路ブロックには同じ符号を付して説明を省略する。
【００８６】
データ電極駆動回路６２は、データ電極駆動回路３２と同様に、画像信号処理回路３１から出力された画像データをデータ電極Ｄ１〜データ電極Ｄｍのそれぞれに対応する書込みパルスに変換し、各データ電極Ｄ１〜データ電極Ｄｍに印加する。実施の形態２におけるデータ電極駆動回路６２は、所定数のデータ電極を駆動する回路に分割され、それぞれの回路が１つの集積回路として集積されている。この集積回路を、以下「データドライバ」と呼称する。すなわちデータ電極駆動回路６２は複数のデータドライバを用いて構成されている。本実施の形態においては、所定数としてデータ電極３８４本分のデータ電極駆動回路が１つのデータドライバとして集積化されている。そして１５個のデータドライバ８０１〜データドライバ８０１５を用いてデータ電極駆動回路６２を構成している。
【００８７】
図１３は、本発明の実施の形態２におけるプラズマディスプレイ装置６０のデータ電極駆動回路６２の回路図である。また図１４は、本発明の実施の形態２におけるプラズマディスプレイ装置６０のデータ電極駆動回路６２の動作を示すタイミングチャートである。データ電極駆動回路６２は、データドライバ８０１〜データドライバ８０１５と、データドライバ８０ｐ（ｐ＝１〜１５）のそれぞれに対応して設けられた回収コンデンサＣ８０ｐと、データドライバ８０ｐのそれぞれに対応して設けられた最大負荷算出部７２ｐと、データドライバ８０ｐのそれぞれに対応して設けられたタイミングパルス選択部７４ｐとを有する。
【００８８】
最大負荷算出部７２ｐのそれぞれは、対応するデータドライバ８０ｐが駆動するデータ電極Ｄｊのそれぞれの実質的な負荷容量を算出し、さらにその最大値を算出する。
【００８９】
タイミングパルス選択部７４ｐのそれぞれは、対応する最大負荷算出部７２ｐの算出した実質的な負荷容量の最大値に基づき、図１４に示した３つのタイミング信号ＬＬＰ１〜タイミング信号ＬＬＰ３のうちいずれか１つを選択して書込みタイミング信号ＬＰｐとして出力する。ここでタイミング信号ＬＬＰ１〜タイミング信号ＬＬＰ３の立下りは第１遷移期間または第２遷移期間において回収スイッチをオンにするタイミングを示し、タイミング信号ＬＬＰ１〜タイミング信号ＬＬＰ３の立上りは第１遷移期間または第２遷移期間において回収スイッチをオフにし高圧側スイッチまたは低圧側スイッチをオンにするタイミングを示している。したがって書込みタイミング信号ＬＰｐとしてタイミング信号ＬＬＰ１を選択すると第２遷移期間の時間が最も長くなり、タイミング信号ＬＬＰ２を選択すると第２遷移期間の時間が２番目に長くなり、タイミング信号ＬＬＰ３を選択すると第２遷移期間の時間が最も短くなる。
【００９０】
タイミングパルス選択部７４ｐのそれぞれは、対応するデータドライバ８０ｐが駆動するデータ電極Ｄｊの第１遷移期間または第２遷移期間における実質的な負荷容量の最大値が容量（Ｃｇ＋２Ｃｃ）であれば書込みタイミング信号ＬＰｐとしてタイミング信号ＬＬＰ１を選択し、容量（Ｃｇ＋Ｃｃ）であればタイミング信号ＬＬＰ２を選択し、容量Ｃｇであれば、タイミング信号ＬＬＰ３を選択する。
【００９１】
データドライバ８０１〜データドライバ８０１５のそれぞれは、シフトレジスタ部８１と、データラッチ部８３と、出力バッファ部８５とを有する。
【００９２】
シフトレジスタ部８１は、少なくともデータドライバ８０ｐが駆動するデータ電極Ｄｊの数と同じ数のラッチ８１ｊを有するシフトレジスタである。そしてシリアル転送された画像データのサブフィールドに対応するビットＱ（ここでも単に「画像データＱ」と略記する）をシリアル／パラレル変換する。すなわち、シリアル転送された画像データＱをクロックＤｃｋにより順次シフトすることによりデータ電極Ｄｊのそれぞれに対する画像データＱｊを出力する。
【００９３】
データラッチ部８３は、データドライバ８０ｐが駆動するデータ電極Ｄｊのそれぞれに対応するラッチ８３ｊを有し、データ電極Ｄｊのそれぞれに対応する画像データＱｊを書込みタイミング信号ＬＰｐでラッチして画像データを出力バッファ部８５に出力する。
【００９４】
出力バッファ部８５は、データドライバ８０ｐが駆動するデータ電極Ｄｊのそれぞれに印加する書込みパルスを発生する出力バッファ８５ｊを有する。出力バッファ８５ｊのそれぞれは、書込みパルスの高圧側の電圧Ｖｄを出力する高圧側スイッチＱＨｊと書込みパルスの低圧側の電圧０（Ｖ）を出力する低圧側スイッチＱＬｊと回収スイッチＱＣｊを有する。そして、画像データに応じて、かつ書込みタイミング信号ＬＰｐのタイミングに従って高圧側の電圧Ｖｄ、中間電圧Ｖｄ／２または低圧側の電圧０（Ｖ）を出力することにより書込みパルスを発生する。
【００９５】
例えば図１４に示したように、データドライバ８０ｐに対応するタイミングパルス選択部７４ｐが、書込み周期Ｔｉ−１の第１遷移期間においてタイミング信号ＬＬＰ１を選択し、書込み周期Ｔｉ−１の第２遷移期間においてタイミング信号ＬＬＰ３を選択し、書込み周期Ｔｉの第１遷移期間においてタイミング信号ＬＬＰ２を選択し、書込み周期Ｔｉの第２遷移期間においてタイミング信号ＬＬＰ１を選択し、書込み周期Ｔｉ＋１の第１遷移期間においてタイミング信号ＬＬＰ３を選択し、書込み周期Ｔｉ＋１の第２遷移期間においてタイミング信号ＬＬＰ２を選択したとする。するとデータドライバ８０ｐに対する書込み周期Ｔｉ−１の第２遷移期間は時刻ｔ２３に開始し、書込み周期Ｔｉの第２遷移期間は時刻ｔ４１に開始し、書込み周期Ｔｉ＋１の第２遷移期間は時刻ｔ６２に開始する。
【００９６】
またデータドライバ８０ｐ；１に対応するタイミングパルス選択部７４ｐ；１が、書込み周期Ｔｉ−１の第１遷移期間においてタイミング信号ＬＬＰ３を選択し、書込み周期Ｔｉ−１の第２遷移期間においてタイミング信号ＬＬＰ１を選択し、書込み周期Ｔｉの第１遷移期間においてタイミング信号ＬＬＰ１を選択し、書込み周期Ｔｉの第２遷移期間においてタイミング信号ＬＬＰ２を選択し、書込み周期Ｔｉ＋１の第１遷移期間においてタイミング信号ＬＬＰ２を選択し、書込み周期Ｔｉ＋１の第２遷移期間においてタイミング信号ＬＬＰ３を選択したとする。するとデータドライバ８０ｐ；１に対する書込み周期Ｔｉ−１の第２遷移期間は時刻ｔ２１に開始し、書込み周期Ｔｉの第２遷移期間は時刻ｔ４２に開始し、書込み周期Ｔｉ＋１の第２遷移期間は時刻ｔ６３に開始する。
【００９７】
このように本実施の形態においては、第２遷移期間の開始時刻はデータドライバ８０ｐのそれぞれに対して設定され、隣接する少なくとも片側のデータ電極の電圧が遷移しないデータ電極に対する出力バッファが存在するデータドライバ８０ｐの開始時刻は、隣接する少なくとも片側のデータ電極の電圧が遷移しないデータ電極に対する出力バッファが存在しないデータドライバ８０ｐの開始時刻よりも早く設定される。また隣接する両側のデータ電極の電圧が共に遷移しないデータ電極に対する出力バッファが存在するデータドライバ８０ｐの開始時刻は、隣接する両側のデータ電極の電圧が共に遷移しないデータ電極に対する出力バッファが存在しないデータドライバ８０ｐの開始時刻よりも早く設定される。
【００９８】
これにより、第１遷移期間と第２遷移期間の時間とを時間的に重ねることなく設定できる。また、いったん中間電圧Ｖｄ／２まで遷移した後に高圧側電圧Ｖｄまたは低圧側電圧０（Ｖ）に切り替えるタイミングが１つのデータドライバ８０ｐに対して共通となるので実施の形態１には及ばないものの、駆動時間を有効に用いた書込み動作を行うことができる。
【００９９】
なお実施の形態１、実施の形態２においては、回収スイッチＱＣ１〜回収スイッチＱＣｍのそれぞれは２個のＦＥＴをバックツーバック接続して構成したが、本発明はこれに限定されるものではない。図１５Ａは、本発明の実施の形態１および実施の形態２における出力バッファの他の構成例を示す図であり、ＰチャンネルＭＯＳＦＥＴを用いて回収スイッチＱＣｊを構成した例である。また図１５Ｂは、本発明の実施の形態１および実施の形態２における出力バッファの他の構成例を示す図であり、ＮチャンネルＭＯＳＦＥＴを用いて回収スイッチＱＣｊを構成した例である。このようにして出力バッファを構成すると、回収スイッチを１つのスイッチング素子で実現することができる。
【０１００】
また実施の形態１、実施の形態２においては、データ電極に印加する電圧を遷移させる場合、まず高圧側電圧から低圧側電圧に切り替えた後に低圧側電圧から高圧側電圧に切り替えるとして説明した。そのため第２遷移期間の開始時刻を出力バッファのそれぞれ、あるいはデータドライバのそれぞれに対して設定した。しかしまず低圧側電圧から高圧側電圧に切り替えた後に高圧側電圧から低圧側電圧に切り替えてもよい。この場合には第１遷移期間の開始時刻を出力バッファのそれぞれ、あるいはデータドライバのそれぞれに対して設定すればよい。
【０１０１】
また実施の形態１、実施の形態２において示した具体回路は回路構成の一例であり、本発明はこれに限定されるものではない。他の回路を用いて上述した機能を実現する構成であってもよい。
【０１０２】
さらに実施の形態１、実施の形態２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１０３】
本発明は、一定の電圧を有する電源からデータ電極駆動回路に電力を供給して安定した書込み放電を行うとともに、データ電極駆動回路の消費電力を削減でき、プラズマディスプレイ装置として有用である。
【符号の説明】
【０１０４】
１０    パネル
１２    走査電極
１３    維持電極
１４    表示電極対
２２    データ電極
３０，６０    プラズマディスプレイ装置
３１    画像信号処理回路
３２，６２    データ電極駆動回路
３３    走査電極駆動回路
３４    維持電極駆動回路
３５    タイミング発生回路
４１    シフトレジスタ部
４２    自己負荷算出部
４４    隣接負荷算出部
４８    出力バッファ部
４８ｊ    出力バッファ
７２ｐ    最大負荷算出部
７４ｐ    タイミングパルス選択部
８０ｐ    データドライバ
８１    シフトレジスタ部
８３    データラッチ部
８５    出力バッファ部
８５ｊ    出力バッファ
ＱＨ１，ＱＨｊ，ＱＨｍ    高圧側スイッチ
ＱＬ１，ＱＬｊ，ＱＬｍ    低圧側スイッチ
【図１】
2012118174.tif 000003
【図２】
2012118174.tif 000004
【図３】
2012118174.tif 000005
【図４】
2012118174.tif 000006
【図５】
2012118174.tif 000007
【図６】
2012118174.tif 000008
【図７】
2012118174.tif 000009
【図８Ａ】
2012118174.tif 000010
【図８Ｂ】
2012118174.tif 000011
【図８Ｃ】
2012118174.tif 000012
【図９Ａ】
2012118174.tif 000013
【図９Ｂ】
2012118174.tif 000014
【図９Ｃ】
2012118174.tif 000015
【図９Ｄ】
2012118174.tif 000016
【図９Ｅ】
2012118174.tif 000017
【図１０Ａ】
2012118174.tif 000018
【図１０Ｂ】
2012118174.tif 000019
【図１０Ｃ】
2012118174.tif 000020
【図１０Ｄ】
2012118174.tif 000021
【図１０Ｅ】
2012118174.tif 000022
【図１１】
2012118174.tif 000023
【図１２】
2012118174.tif 000024
【図１３】
2012118174.tif 000025
【図１４】
2012118174.tif 000026
【図１５Ａ】
2012118174.tif 000027
【図１５Ｂ】
2012118174.tif 000028